(57)【要約】【課題】在庫管理を容易とすることが可能であり、設置スペースの広狭にも十分な対応が可能であって光源ランプと接続されるソケットの位置を安定化し、かつ、これらの確実な接続を容易に実行することができる照明器具を提供する。【解決手段】本発明にかかる照明器具１は、光源ランプ２が縦向きで収納される照明器具本体、または、光源ランプ２が横向きで収納される照明器具本のいずれかと組み合わせて使用される給電ユニット４を備えている。そして、前記光源ランプ２と接続されるソケット９が配設されて前記給電ユニット４から延出されたソケット台１５は、前記照明器具本体のいずれにも配設済みの器具側係合部材１１と係合しあって前記ソケット台１５を支持する給電側係合部材１６を具備している。【選択図】    図１
2005019348.tif 000002
【特許請求の範囲】
【請求項１】
光源ランプが縦向きで収納される照明器具本体、または、光源ランプが横向きで収納される照明器具本体のいずれかと組み合わせて使用される給電ユニットを備えており、前記光源ランプと接続されるソケットが配設されて前記給電ユニットから延出されたソケット台は、前記照明器具本体のいずれにも配設済みの器具側係合部材と係合しあう給電側係合部材を具備していることを特徴とする照明器具。
【請求項２】
前記給電ユニットは、高圧パルス発生装置を具備した安定器であることを特徴とする請求項１に記載の照明器具。
【請求項３】
前記給電ユニットは安定器であり、前記ソケット台が高圧パルス発生装置を具備していることを特徴とする請求項１に記載の照明器具。
【請求項４】
前記器具側係合部材は係合用凹部を具備しており、前記給電側係合部材は前記係合用凹部と係合しあう係合用凸部を具備していることを特徴とする請求項１〜請求項３のいずれかに記載の照明器具。
【発明の詳細な説明】
【０００１】
【発明の属する技術分野】
本発明は照明器具にかかり、特には、天井埋込型照明器具に関する。
【０００２】
【従来の技術】
照明器具のうちには天井に埋め込んで使用されるダウンライト等のような天井埋込型照明器具があり、その一例としては、図５で示すような照明器具５１が知られている。すなわち、この照明器具５１は光源ランプ５２が組み込まれたものであり、光源ランプ５２が横向きで収納された照明器具本体５３と、高圧パルス発生装置を具備した安定器である給電ユニット５４とが、電線５５を介して一体的に連結された構造を有している。
【０００３】
そして、照明器具本体５３及び給電ユニット５４が分離不可として連結された照明器具５１は一体構造のままで製造業者から出荷された後、施工業者によって建築物の天井５６に埋め込んで取り付けられる。
【０００４】
また、天井埋込型照明器具の他の例としては、図６に示すように特許文献１で開示されたものがある。この照明器具は、光源ランプが縦向きで収納された照明器具本体５３と、高圧パルス発生装置を具備した安定器である給電ユニットとを備えている。しかし、前記の照明器具５１の場合とは異なり、特許文献１で開示された照明器具においては、照明器具本体５３と給電ユニットとが分離可能な構造、つまり、給電ユニットから電線５５を介して延出されたソケット５７が縦向きの光源ランプと切り離し可能な構造が採用されている。
【０００５】
天井埋込型照明器具のさらなる他の例としては特許文献２で開示されたものがあり、この照明器具は、光源ランプが縦向きで収納される照明器具本体、あるいは、光源ランプが横向きで収納される照明器具本体のいずれかと組み合わせて使用される給電ユニットを備えている。すなわち、この照明器具では、照明器具本体及び給電ユニットを分離することが可能であり、しかも、照明器具本体に収納された光源ランプは縦向き及び横向きのいずれでもよいことになっている。
【０００６】
さらには、特許文献３で開示されたような照明器具もあり、この照明器具においては、高圧パルス発生装置を具備していない安定器で給電ユニットが構成されている。そして、高圧パルス発生装置は、安定器から電線を介して延出されたソケット、つまり、光源ランプと接続されるソケットの近傍に配設されている。
【０００７】
【特許文献１】
特開平７−８５７１８号公報
【０００８】
【特許文献３】
特開２００１−３０７５４１号公報
【０００９】
【特許文献２】
特開平７−１２２１１０号公報
【００１０】
【発明が解決しようとする課題】
ところで、前記従来の形態にかかる照明器具それぞれにおいては、次のような不都合が生じることになっていた。すなわち、照明器具５１では、照明器具本体５３と給電ユニット５４とが分離不可な一体構造を有しているため、これらの分離が可能な構造とされた他の照明器具に比較すると、施工作業が若干煩わしい。
【００１１】
さらに、この照明器具５１を構成している照明器具本体５３または給電ユニット５４のいずれか一方のみの支給が必要とされる場合もあるが、照明器具本体５３及び給電ユニット５４を分離することはできない。従って、照明器具本体５３または給電ユニット５４を単独で支給することができず、在庫不足や在庫余剰のような在庫管理の問題が発生することがあった。
【００１２】
これに対し、特許文献１で開示された照明器具は、照明器具本体５３と給電ユニットとが分離可能とされ、給電ユニットから電線を介して延出されたソケットが縦向きの光源ランプから切り離し可能とされた構成を有している。そのため、照明器具本体５３及び給電ユニット５４が分離不可な構成とされた前記の照明器具５１のような不都合が生じることはなくなる。
【００１３】
しかしながら、特許文献１で開示された照明器具においては、縦向きの光源ランプを収納した照明器具本体の外形高さが高いにも拘わらず、この照明器具本体の上端付近でなければ、光源ランプ及びソケットを接続することができない。そのため、この照明器具を設置するに際しては、設置スペースに高さ的な余裕が必要であり、天井における設置スペースが狭い場合には、照明器具を設置することが困難となることが避けられない。
【００１４】
さらに、特許文献２で開示された照明器具にあっては、光源ランプが縦向きで収納される照明器具本体、あるいは、光源ランプが横向きで収納される照明器具本体のいずれかと給電ユニットとが組み合わされるようになっている。そこで、照明器具の設置スペースが狭い場合には、光源ランプが横向きとして収納された照明器具本体を使用すればよく、設置スペースの広狭に対応することが容易となる。しかし、この照明器具には、光源ランプと接続される際のソケットの位置が不安定となり易く、確実な接続を実行することが難しいという不都合があった。
【００１５】
本発明はこれらの不都合に鑑みて創案されたものであり、施工作業の煩わしさを軽減して在庫管理を容易とすることが可能である他、設置スペースの広狭にも十分な対応が可能であって光源ランプと接続されるソケットの位置を安定化し、かつ、これらの確実な接続を容易に実行することができる構成とされた照明器具の提供を目的としている。
【００１６】
【課題を解決するための手段】
請求項１記載の発明にかかる照明器具は、光源ランプが縦向きで収納される照明器具本体、または、光源ランプが横向きで収納される照明器具本体のいずれかと組み合わせて使用される給電ユニットを備えている。そして、前記光源ランプと接続されるソケットが配設されて前記給電ユニットから延出されたソケット台は、前記照明器具本体のいずれにも配設済みの器具側係合部材と係合しあって前記ソケット台を支持する給電側係合部材を具備している。
【００１７】
請求項２記載の発明にかかる照明器具は請求項１に記載したものであり、前記給電ユニットは高圧パルス発生装置を具備した安定器であることになっている。
【００１８】
請求項３記載の発明にかかる照明器具は請求項１に記載したものであって、前記給電ユニットは安定器であり、前記ソケット台が高圧パルス発生装置を具備している。
【００１９】
請求項４記載の発明にかかる照明器具は請求項１〜請求項３のいずれかに記載したものであり、前記器具側係合部材は係合用凹部を具備しており、前記給電側係合部材は前記係合用凹部と係合しあう係合用凸部を具備している。
【００２０】
【発明の実施の形態】
（実施の形態１）
図１は実施の形態１にかかる照明器具を示す斜視図、図２はその組立状態を示す斜視図であり、図３は変形例にかかる照明器具の組立状態を示す斜視図である。なお、図１〜図３中の符号１は、照明器具を示している。
【００２１】
本実施の形態にかかる照明器具１は建築物の天井に埋め込んで使用される天井埋込型であり、この照明器具１は、図１で示すように、ＨＩＤランプ（高輝度放電ランプ）等のような光源ランプ２が縦向きで組み込まれる照明器具本体と、この照明器具本体と組み合わされる給電ユニット４とを備えている。そして、照明器具本体は、縦向きの姿勢で収納された光源ランプ２の外周囲を囲んで配光制御を行う反射板５と、この反射板５の下端部に形成された光照射面５ａの外周縁を支持する枠体６と、反射板５の上端部を覆って設けられた天板７とから構成されている。
【００２２】
また、このとき、照明器具本体を構成している枠体６と天板７とは、反射板５の長手方向と一致するようにして配置されたサポート材８を介して互いに連結されている。
【００２３】
さらに、天板７には光源ランプ２と接続されるソケット９の挿通口１０が形成されており、この挿通口１０の側部位置には器具側係合部材１１、つまり、挿通口１０を形成する際の切り込み加工に伴って切り起こされた舌片部分である器具側係合部材１１が立設されている。そして、この器具側係合部材１１の所定位置毎には、位置置決めに利用される係合用凹部である丸孔１２と、上向きに開口したスリット１３がそれぞれ形成されている。
【００２４】
一方、照明器具１が備える給電ユニット４は、高圧パルス発生装置を具備してなる安定器であり、この給電ユニット４からは電線１４を介してソケット台１５が延出されている。そして、このソケット台１５には、光源ランプ２と接続されるソケット９が配設されている。
【００２５】
また、このソケット台１５に対しては、照明器具本体に配設済みの器具側係合部材１１と係合しあう給電側係合部材１６が、ソケット９の長手方向と一致するような垂直状として配設されている。そして、器具側係合部材１１よりも幅広とされた給電側係合部材１６の所定位置には、位置決め用として利用される係合用凸部、つまり、左右一対の突条部１７とガイドピン１８とが形成されている。  さらに、この際における給電側係合部材１６には、器具側係合部材１１に形成済みのスリット１３を挿通し、給電側係合部材１６を器具側係合部材１１に固定するためのボルト１９が設けられている。
【００２６】
本実施の形態にかかる照明器具１は、上記した照明器具本体と給電ユニット４とが組み合わされたものであり、図２で示すように、給電ユニット４から電線１４を介して延出されたソケット台１５は、その給電側係合部材１６が照明器具本体に配設済みの器具側係合部材１１と係合しあう状態で連結される。すなわち、このとき、給電側係合部材１６は、ガイドピン１８が丸孔１２と係合し、ボルト１９がスリット１３を挿通するようにして器具側係合部材１１と連結され、かつ、器具側係合部材１１の両側面は給電側係合部材１６の突条部１７それぞれによって挟持された状態となる。
【００２７】
その結果、ボルト１９で締め付けることにより、給電側係合部材１６が配設されたソケット台１５と、照明器具本体を構成している天板７とは強固に連結される。そして、同時的に、ソケット台１５に配設されたソケット９と、照明器具本体に収納された光源ランプ２とが接続されるため、電線１４を介して一体化された照明器具本体と給電ユニット４とからなる照明器具１が構成されたことになる。
【００２８】
ところで、本実施の形態にかかる照明器具１においては、高圧パルス発生装置を具備してなる安定器が給電ユニット４であるとしている。しかしながら、このような構造に限定されることはないのであり、図３で示すように、給電ユニット４は安定器であり、ソケット台１５が高圧パルス発生装置２０を具備するとしてもよい。このような構造であれば、電線１４に高圧パルスが印加されなくて済むという利点が確保される。
（実施の形態２）
図４は実施の形態２にかかる照明器具の組立状態を示す斜視図である。なお、実施の形態２にかかる照明器具の全体構成は実施の形態１と基本的に異ならないので、図４において、図１〜図３と互いに同一もしくは相当する部品、部分には同一符号を付し、ここでの詳しい説明は省略する。特に、実施の形態２にかかる照明器具は、実施の形態１と同じなので、このものについては図１を用いて説明する。
【００２９】
本実施の形態にかかる照明器具１は、図４で示すように、光源ランプ２が横向きで組み込まれる照明器具本体と、この照明器具本体と組み合わされる給電ユニット４とを備えている。そして、照明器具本体は、横向きの姿勢で収納された光源ランプ２の外周囲を囲んで配光制御を行う反射板５と、この反射板５の下端部に形成された光照射面５ａの外周縁を支持する枠体６と、反射板５の上端部を覆って設けられた天板７とから構成されており、枠体６と天板７とはサポート材８を介して連結されている。
【００３０】
また、この照明器具本体を構成する反射板５には、光源ランプ２と接続されるソケット９の挿通口１０が形成されている。さらに、天板７の側部位置には器具側係合部材１１が配設されており、この器具側係合部材１１の所定位置には、位置置決めに利用される係合用凹部である丸孔１２と、横向きに開口したスリット１３，２３がそれぞれ形成されている。
【００３１】
一方、照明器具１が備える給電ユニット４は、高圧パルス発生装置を具備してなる安定器であり、この給電ユニット４からは電線１４を介してソケット台１５が延出されている。そして、このソケット台１５には、光源ランプ２と接続されるソケット９が配設されている。
【００３２】
さらに、このソケット台１５には照明器具本体に配設済みの器具側係合部材１１と係合しあう給電側係合部材１６が配設されており、給電側係合部材１６の所定位置には、位置決め用として利用される係合用凸部である突条部１７とガイドピン１８とが形成されている。また、この給電側係合部材１６には、器具側係合部材１１に形成済みのスリット１３を挿通し、給電側係合部材１６を器具側係合部材１１に固定するためのボルト１９も設けられている。
【００３３】
本実施の形態にかかる照明器具１は、上記した照明器具本体と給電ユニット４とが組み合わされたものであり、図４で示すように、給電ユニット４から電線１４を介して延出されたソケット台１５は、その給電側係合部材１６が照明器具本体に配設済みの器具側係合部材１１と係合しあう状態で連結される。すなわち、給電側係合部材１６は、ガイドピン１８が丸孔１２と係合し、かつ、突条部１７それぞれがスリット２３の各々と係合した状態となったうえ、ボルト１９がスリット１３を挿通するようにして器具側係合部材１１と連結される。
【００３４】
そこで、ボルト１９を利用して器具側係合部材１１と給電側係合部材１６とを締め付けると、給電側係合部材１６が配設されたソケット台１５と、照明器具本体を構成している天板７とが強固に連結されたことになる。このとき、ソケット９と光源ランプ２も接続されているため、電線１４を介して一体化された照明器具本体と給電ユニット４とからなる照明器具１が構成される。
【００３５】
なお、照明器具１の備える給電ユニット４が安定器であるとし、高圧パルス発生装置２０をソケット台１５に設けてもよいことは実施の形態１と同様である。
【００３６】
【発明の効果】
本発明にかかる照明器具であれば、照明器具本体と給電ユニットとが分離可能であるため、施工作業の煩わしさが解消されるばかりか、照明器具本体または給電ユニットを単独で支給することが可能となり、在庫管理の問題が解消される。また、縦向きの光源ランプを収納した照明器具本体だけでなく、横向きの光源ランプを収納した照明器具本体に対しても給電ユニットを接続することが可能となるので、天井における設置スペースが狭くても照明器具を容易に設置することができる。
【００３７】
さらに、本発明にかかる照明器具である場合には、光源ランプが縦向き及び横向きのいずれであっても、光源ランプと接続されるソケットの位置が安定することになり、確実な接続を実行することができるという効果が得られる。さらにまた、高圧パルス発生装置をソケット台に配設していれば、照明器具本体と給電ユニットとを接続した電線に高圧パルスが印加されなくて済むという利点が確保される。
【図面の簡単な説明】
【図１】実施の形態１にかかる照明器具を示す斜視図である。
【図２】実施の形態１にかかる照明器具の組立状態を示す斜視図である。
【図３】実施の形態１の変形例にかかる照明器具の組立状態を示す斜視図である。
【図４】実施の形態２にかかる照明器具の組立状態を示す斜視図である。
【図５】従来の形態にかかる照明器具の分解状態を示す斜視図である。
【図６】従来の形態にかかる他の照明器具を示す斜視図である。
【符号の説明】
１    照明器具（天井埋込型照明器具）
２    光源ランプ
４    給電ユニット
９    ソケット
１１    器具側係合部材
１５    ソケット台
１６    給電側係合部材
【図１】
2005019348.tif 000003
【図２】
2005019348.tif 000004
【図３】
2005019348.tif 000005
【図４】
2005019348.tif 000006
【図５】
2005019348.tif 000007
【図６】
2005019348.tif 000008